(57)【要約】      （修正有）【課題】可動窓またはいくつかの従来のカメラ（２Ｄ）を用いる３次元の光線捕獲カムコーダ、可動窓を用いる実像生成テレビジョン、液晶内に形成または穿孔表面の上に配置された可動窓、これらのデバイスを取得する方法を提供する。【解決手段】本発明では、可動窓またはいくつかの従来のカメラ（２Ｄ）を用いる３次元の光線捕獲を有するカメラが、表面全体にわたって一連の開口を有する窓を用いて視野内で物体からのいくつかの角度を捕獲する。窓を用いて形成される画像は、蓄積された電荷デバイス（ＣＣＤ）内へ捕獲される。テレビジョン窓とカメラとの対称性を取得するために、窓の位置、瞬間、および画像変位に対応する動作で、走査済み電気インパルスを記憶することができ、または実像テレビジョンに伝送することができる。テレビジョンは、画像再生器デバイスと、カメラの窓と同じ一連の開口を有する可動窓とを備える。【選択図】図１
2014179970.tif 000002
【特許請求の範囲】
【請求項１】
可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、前記カメラが、可動窓または複数の従来のカメラ（２Ｄ）と同じ高さの、電荷が蓄積されたデバイス（ＣＣＤ）を有し、可動窓が、前記液晶内に形成または穿孔可動表面の上に配置され、前記ＣＣＤから発生する走査済み電気インパルスが前記実像カメラから実像テレビジョンへ伝送および記憶され、前記実像が、光線が実像カメラ窓を通過するように、前記実像テレビジョンによって形成された前記窓を通過する光線の対称性を維持するために、前記画像の変位により２次元の画像再生器デバイスと同じ高さの液晶または可動穿孔表面によって形成されることを特徴とするカメラ、テレビジョン、窓、および方法。
【請求項２】
請求項１に記載の可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、前記液晶内の前記可動窓では、前記窓が、視野から発生する光線がオリフィス窓を通過することを可能にする液晶の不透明な表面から作られ、前記窓が、前記表面全体にわたって急速かつ組織的に開閉でき、視野光線からのいくつかの角度を可能にすることを特徴とするカメラ、テレビジョン、窓、および方法。
【請求項３】
請求項１に記載の可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、可動穿孔表面内に配置された窓を取得する新しい方法（ｗａｙ）では、オリフィスを有する表面を視野から発生する光線が通過することが可能であり、前記表面が、急速かつ組織的な動きを備え、したがって前記視野から発生するすべての角度の光線が通過することが可能であることを特徴とするカメラ、テレビジョン、窓、および方法。
【請求項４】
請求項１に記載の可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、従来のカメラ（２Ｄ）では、前記従来のカメラが、平坦な、凹状の、湾曲した、または凸状の表面の上に配置された複数のカメラ（２Ｄ）を有し、前記カメラがそれぞれ窓に対応することを特徴とするカメラ、テレビジョン、窓、および方法。
【請求項５】
請求項１に記載の可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、液晶内に形成された可動窓を用いる前記３次元の光線捕獲カメラでは、液晶内でＣＣＤと同じ高さに可動窓が形成され、前記視野から発生して前記窓を通過する光線が前記ＣＣＤ上に当たり、したがって画像を形成することを特徴とするカメラ、テレビジョン、窓、および方法。
【請求項６】
請求項１に記載の可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、穿孔表面内に形成された可動窓を用いる前記３次元の光線捕獲カメラでは、穿孔表面内で前記ＣＣＤと同じ高さに可動窓が形成され、前記視野から発生して前記窓を通過する光線が前記ＣＣＤ上に当たり、したがって画像を形成することを特徴とするカメラ、テレビジョン、窓、および方法。
【請求項７】
請求項１に記載の可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、複数の従来のカメラ（２Ｄ）を用いる前記３次元の光線捕獲カメラでは、前記３次元の光線捕獲カメラが、平坦な、湾曲した、凹状の、または凸状の表面の上に配置された複数のカメラを備え、前記窓がそれぞれ、ある瞬間に各カメラによって取得された画像に対応することを特徴とするカメラ、テレビジョン、窓、および方法。
【請求項８】
可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、前記３次元の光線捕獲カメラから発生して前記実像テレビジョンへ送達される走査済み電気インパルスの伝送方法では、走査済み電気インパルス画像の前記伝送が、ある瞬間の窓の位置および画像変位方法に対応し、光線が前記実像カメラ窓を通過するように、前記実像テレビジョンによって形成された前記窓を通過する前記光線を対称に維持することを特徴とするカメラ、テレビジョン、窓、および方法。
【請求項９】
請求項８に記載の可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、前記３次元の光線捕獲カメラから発生する走査済み電気インパルスの前記記憶方法では、画像からの走査済み電気インパルスを記録する記録装置が、窓の位置、瞬間、および前記画像変位方法に対応し、したがって光線が前記実像カメラ窓を通過するように、前記実像テレビジョンによって形成された窓を通過する光線を対称に維持し、さらに前記電気インパルスが、前記実像カメラから発生する前記走査済み電気インパルスと同一の記録装置によって再生されることを特徴とするカメラ、テレビジョン、窓、および方法。
【請求項１０】
可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、前記実像カメラ窓の位置および前記実像テレビジョン内の窓の位置では、ある瞬間の所定の画像に対する前記実像テレビジョン内の他の窓に対して前記開いた窓に対して対称に位置する前記実像カメラ内の他の窓に対して前記窓が開いていることを特徴とするカメラ、テレビジョン、窓、および方法。
【請求項１１】
可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、窓を用いる前記実像テレビジョンでは、液晶表面内に形成または穿孔表面の上に配置された窓と同じ高さの画像再生デバイスを有することを特徴とするカメラ、テレビジョン、窓、および方法。
【請求項１２】
可動窓またはいくつかの従来のカメラ（２Ｄ）を用いる３次元の光線捕獲カメラ、可動窓を用いる実像生成テレビジョン、液晶内に形成または穿孔表面の上に配置された可動窓、これらのデバイスを取得する方法において、窓モニタを用いる前記実像テレビジョンの前方への実像伝達方法では、前記平行な光線カメラの窓を用いる前記テレビジョンの実像を撮影し、平行な光線を用いる実像テレビジョン内で実像を生成することを特徴とするカメラ、テレビジョン、窓、および方法。
【発明の詳細な説明】
【技術分野】
【０００１】
本発明は、可動窓または従来の２次元カメラ（２Ｄ）を用いて視野内の実際の物体から発生する光線を３次元で捕獲するカムコーダ（カメラと呼もばれる）に関する。本発明はまた、可動窓を用いる実像生成テレビジョンに関する。実像カメラは、視野内の実際の物体内の各点から生じる光線を捕獲し、前記光線は、液晶内に形成または穿孔表面の上に配置された可動オリフィス窓を通過し、あるいは表面の上に配置されたいくつかの従来のカメラを用いて、視野から発生する光線を捕獲し、各従来のカメラは１つの窓に対応する。実像テレビジョンは、液晶上に形成または穿孔可動表面内に配置された可動オリフィス窓と同じ高さの画像再生デバイス（２Ｄ）を備える。液晶もしくは可動穿孔表面内の各可動窓の異なる位置、または従来のカメラ（２Ｄ）を用いる異なる位置により、視野内で異なる角度の光線捕獲が実現される。
【背景技術】
【０００２】
現在、２次元の動画（２Ｄ）は、テレビジョンまたは映画によって生成される。高速の画像シーケンスを生成することで、画像内で連続する動きを知覚することが可能になる。３次元のテレビジョンまたは映画（３Ｄ）は、それぞれの目によって知覚された２つの画像の合成であり、深さの印象を与える。ホログラフィとは、平面内の複数の画像の印象である。鏡は、実像を反射する。３次元の光線捕獲カメラおよび実像生成テレビジョンは、平行な光線フィルタを使用し、前記実像はテレビジョン表面の前方および後方に形成される（ＢＲ１０．２０１３．０１３５５９．３）。
【先行技術文献】
【特許文献】
【０００３】
【特許文献１】ＢＲ１０．２０１３．０１３５５９．３
【発明の概要】
【発明が解決しようとする課題】
【０００４】
現在の従来技術の画像に存在する問題は、テレビジョンまたは映画が実像ではない２Ｄ画像を再生することに見出される。３Ｄテレビジョンまたは映画は、光フィルタガラスを使用するかどうかにかかわらず、片目ごとに少し異なる２つの画像を生成し、それによって３次元の知覚を与える。しかし、これらは実像ではないため、いくつかの角度では物体が観察されない。ホログラフィは、表面上のいくつかの画像の印象であり、物体の様々な角度の観察が可能であるが、印刷される画像の数量は制限される。鏡は、物体の画像を反射し、したがって動的な画像である実像を生成し、この画像を物体のいくつかの角度で観察することができるが、装置による伝送および記録を行うことができない。さらに、従来のカメラ（２Ｄ）では、平行な光線フィルタを使用する３次元の光線捕獲カメラの視野からの３次元の光線を捕獲することができない。
【課題を解決するための手段】
【０００５】
上記の問題は、本発明によって解決される。本発明によって取得される実像は、いくつかの角度によって観察できる連続する動きの知覚によって提供され、装置による伝送および記録が可能である。さらに、従来のカメラ（２Ｄ）を使用して、必要なときに視野から光線を捕獲することができる。
【０００６】
本特許における装置およびデバイスは、画像に関する事業を営む電子機器の製造者であれば大規模に生産することができる。
本発明は、可動窓またはいくつかの従来のカメラ（２Ｄ）を用いる３次元の光線捕獲カメラ、可動窓を用いる実像生成テレビジョン、および液晶で形成または可動穿孔表面上に配置された可動窓を含む。カメラは、異なる瞬間に液晶表面全体にわたって形成される一連の開口窓、たとえば液晶表面全体にわたって右側から左側へ上から下に形成される一連の窓を用いて、異なる角度の光線を捕獲する。各窓は、視野光線が１つの角度のみへ進むことを可能にする。いくつかの窓は、いくつかの角度の前記視野を捕獲する。これらの窓は、可動穿孔表面内に形成することができ、可動穿孔表面は、カメラ表面の上から下に異なる位置に穿孔を有し、前記窓がそれぞれ１本の線を通り、すべての窓が前記表面全体を通るように、右側から左側へ動く。たとえば、円の中に配置される表面は穿孔を有し、穿孔は、いくつかの高さを有し、幅の範囲内で隔置される。従来のカメラ（２Ｄ）を用いる光線捕獲カメラは、各カメラを窓として動作させる。このタイプの光線捕獲カメラは、視野が広いときに使用することができる。従来のカメラ（２Ｄ）の配置は、平坦な、湾曲した、凹状の、または凸状の表面上で行うことができる。この窓は、視野内で物体の所定の角度の画像を連続して捕獲する。各窓および画像に対して、異なる捕獲時間を設定するべきである。時間および窓の前記設定は、可動窓を用いる前記実像テレビジョンによって実像再生の瞬間に使用される。従来のカメラ（２Ｄ）の捕獲平面の曲率には補正を提供するべきであり、したがってこれは、液晶または可動穿孔表面内の窓を通じて光線を３次元で捕獲する方法と類似の方法である。液晶および可動穿孔表面内に形成された可動窓と、従来のカメラ（２Ｄ）との両方を用いて、窓によって生成される各画像は、電荷結合デバイス（ＣＣＤ）に入る。ＣＣＤ情報は、記録することができ、または窓を用いて実像テレビジョンへ伝送することができる。画像は、カメラ光線角度および実像テレビジョンの対称性を同様に維持するために、再生器デバイス内への前記画像の窓の位置、瞬間、および変位に対応するはずであり、すなわち画像変位が前記再生器デバイス内に存在するはずである。実像カメラ窓の場所および実像テレビジョン窓の場所は、ある瞬間に特定の画像に対する実像テレビジョンの他の窓のうちの開いた窓に対して対称に位置する実像カメラの他の窓に対して窓が開いていることを特徴とする。窓を用いる実像テレビジョンセットは、開くべき窓を提供するために、前記実像テレビジョンセットの前に画像再生デバイス（２Ｄ）および液晶表面を備え、または穿孔表面を備える。窓は、適時かつ順次開かれるはずであり、それによって液晶内の各窓、または可動穿孔表面、または従来のカメラ（２Ｄ）によって取得される画像を同期させる。窓画像の再生は、右側から左側へ、かつ上から下へ、逆向きに行われるべきである。実像テレビジョンでは、窓は、表面全体に対してカメラによって捕獲されたときと同じ位置に位置するはずである。実像テレビジョンからの開いた窓により、視野光線の観察、観察者による位置の変更が可能になり、または別の視野光線を見ることが可能になる。いくつかの窓は順番に迅速に開き、すべての窓がおそらく開いているような知覚を与える。各窓は、所定の角度からの視野のすべての光線を有する。窓は、すべての窓が開いているという知覚を与えるために、順番に開いてカメラおよびテレビジョン表面全体を急速に通るべきである。窓を用いる実像テレビジョンでは、光線は、液晶表面または穿孔表面の後ろの点からくる。したがって、形成される実像は、窓を用いる実像テレビジョンの液晶表面または穿孔表面の後方に位置する。そのような画像を実像テレビジョンの液晶表面の前方へ前進させることは、平行な光線を用いる光線カメラによって窓を用いる実像テレビジョンの実像を撮影し、平行な光線を用いる実像テレビジョン内で再生することによって行われる。従来のカメラ（２Ｄ）の場合、画像は、レンズによって与えられるズーム手順に従って画面上で可変の寸法を有することができる。
【０００７】
新規性は、迅速な画像シーケンスによる走査済み電気インパルスの記憶および伝送により実像を取得し、したがって眼鏡を使用することなく、異なる位置および瞬間で開く窓を用いていくつかの角度を観察することによって、動きの知覚を得ることを含む。
【図面の簡単な説明】
【０００８】
【図１】図１は、窓を用いるカメラおよび実像テレビジョン、ならびに前記窓を取得する方法を概略的に示す。
【発明を実施するための形態】
【０００９】
図１は、窓を用いるカメラおよび実像テレビジョン、ならびに前記窓を取得する方法を概略的に示す。窓を用いる実像カメラおよび実際の物体は、前記図の上部に位置する。実像テレビジョンおよび観察者は、前記図の下部に位置する。図中の左側の図面は瞬間Ｔ１を示し、右側の図面は瞬間Ｔ２を示す。
【００１０】
番号１は、液晶を表す。
番号２は、瞬間Ｔ１の液晶内の窓を表す。
番号２’は、瞬間Ｔ２の液晶内の窓を表す。
【００１１】
番号３は、ＣＣＤ表面を表す。
番号４は、ＣＣＤ内に形成された画像の走査済み電気インパルスを表し、前記画像は、再生デバイス内の画像の窓の位置、瞬間、および変位に対応する。
【００１２】
番号５は、画像再生デバイスを表す。
番号６は、液晶を表す。
番号７は、瞬間Ｔ１の液晶内の窓を表す。
【００１３】
番号７’は、瞬間Ｔ２の液晶内の窓を表す。
文字Ａは、瞬間Ｔ１の実際の物体である。
文字Ａ’は、瞬間Ｔ２の実際の物体である。
【００１４】
番号Ｂは、瞬間Ｔ１の観察者を表す。
番号Ｂ’は、瞬間Ｔ２の観察者を表す。
文字Ａ１およびＡ１’は、物体（ＡおよびＡ’）からくる光線によって形成される画像の入射を表し、前記画像は、液晶（１）の窓（２および２’）を通過し、実像カメラ内のＣＣＤ（３）の表面上に形成される。
【００１５】
文字Ａ２およびＡ２’は、実像テレビジョンの画像再生デバイス（５）内に形成される画像を表し、前記画像は、それぞれ瞬間Ｔ１およびＴ２の対応する窓に対して逆向きかつ対称に形成される。観察者（ＢおよびＢ’）は、瞬間Ｔ１およびＴ２に窓からくる光線を受け取る。可動窓を用いる実像テレビジョンの前記液晶（６）内の窓（７および７’）の位置は、可動窓を用いる実像カメラの液晶（１）の窓（２および２’）と同じ位置に設定されるべきである。
【００１６】
本特許出願明細書では、「カムコーダ(camcorder)」および「カメラ(camera)」という表現は、同等の意味を有するものとして使用される。
【図１】
2014179970.tif 000003
【外国語明細書】
2014179970000001.pdf